(57)【要約】【課題】  時差修正時計の操作性を継承しつつ、簡単な操作で、時差修正を行うことができるようにしたアナログ電波時計を提供すること。【解決手段】  電波受信部１０２はアンテナ１０１を介して、標準電波に含まれるタイムコード中の分及び秒の情報を受信し、演算部１０３は、分針１０６及び秒針１０５のみを、前記受信した分及び秒に修正する。時針１０７の修正は、時差修正機構１０９に含まれる竜頭を操作することによって行う。【選択図】  図１
2008224658.tif 000002
【特許請求の範囲】
【請求項１】
時刻を表すタイムコードを含む標準電波を受信する受信手段と、時刻をアナログ表示する秒針、分針及び時針と、少なくとも前記秒針、分針及び時針を回転駆動する回転駆動手段と、前記時針のみを回転操作する時針操作手段と、前記秒針及び分針のみを前記タイムコードに対応する時刻に修正するように前記回転駆動手段を制御する制御手段とを備えて成ることを特徴とするアナログ電波時計。
【請求項２】
前記回転駆動手段は、モータ及び前記モータの回転を前記秒針、分針及び時針に伝達するための駆動伝達部を有し、
前記制御手段は、前記受信手段がタイムコードを受信した際、前記秒針及び分針のみを前記タイムコードに対応する時刻に修正するように前記モータ及び駆動伝達部を制御することを特徴とする請求項１記載のアナログ電波時計。
【請求項３】
更に、日付を表示する日車を有すると共に、前記回転駆動手段は前記制御手段の制御に応答して前記日車を回転駆動するように構成されて成り、
前記制御手段は、前記時針操作手段が前記時針を回転操作して前記時針が２４時になったとき、前記日車の表示日付を変更するように前記回転駆動手段を制御することを特徴とする請求項１又は２記載のアナログ電波時計。
【請求項４】
日を表示する日車と、前記時針が２４時になったことを検出する検出手段とを備えると共に、前記回転駆動手段は、前記秒針、分針、時針及び日車を回転駆動し、
前記制御手段は、前記時針操作手段の操作によって前記時針が２４時になったことを前記検出手段が検出したとき、前記日車を回転駆動して日送り処理を行うように前記回転駆動手段を制御することを特徴とする請求項１記載のアナログ電波時計。
【請求項５】
前記回転駆動手段は、モータ手段及び前記モータ手段の回転を前記秒針、分針、時針及び日車に伝達するための駆動伝達部を有し、
前記制御手段は、前記受信手段がタイムコードを受信した際、前記秒針及び分針のみを前記タイムコードに対応する時刻に修正するように前記モータ手段及び駆動伝達部を制御することを特徴とする請求項４記載のアナログ電波時計。
【請求項６】
前記受信手段は、前記タイムコードに含まれる年、日、分及び秒の情報を受信し、
前記制御手段は、前記受信手段が受信した年及び日の情報を記憶手段に記憶し、前記時針操作手段の操作によって前記時針が２４時になったことを前記検出手段が検出したとき、前記記憶手段に記憶した年及び日の情報を参照して、月末の場合には前記日車の日表示が１日になるように日送り処理を行うよう前記回転駆動手段を制御すると共に前記メモリに記憶した情報に日送り処理した日数を加算することを特徴とする請求項４又は５記載のアナログ電波時計。
【請求項７】
日を表示する日車を備え、
前記回転手段は、前記秒針、分針、時針及び日車を回転駆動し、
前記制御手段は、前記タイムコードに基づいて前記秒針及び分針の時刻を修正する第１受信モードと、前記タイムコードに基づいて前記秒針、分針、時針及び日車の日時を修正する第２受信モードのいずれかを選択する受信モード選択手段と、前記第１受信モードにおいて前記秒針及び分針のみを前記タイムコードに対応する時刻に修正するように前記回転駆動手段を制御し、前記第２受信モードにおいて前記秒針、分針、時針及び日車を前記タイムコードに対応する日時に修正するように前記回転駆動手段を制御することを特徴とする請求項１記載のアナログ電波時計。
【請求項８】
前記回転駆動手段は、モータ手段及び前記モータ手段の回転を前記秒針、分針、時針及び日車に伝達するための駆動伝達手段を有し、
前記時針操作手段は、前記時針のみが回転するように前記駆動伝達部を駆動操作することを特徴とする請求項７記載のアナログ電波時計。
【請求項９】
前記受信モード選択手段は所定操作可能な操作手段を有して成り、前記制御手段は前記操作手段の操作に基づいて、前記第１、第２受信モードのいずれが選択されたかを判断し、前記選択された受信モードに対応する処理を行うように前記回転駆動手段を制御することを特徴とする請求項７又は８記載のアナログ電波時計。
【請求項１０】
前記操作手段は前記時針操作手段によって構成されて成り、前記制御手段は前記時針操作手段によって時差修正が行われたことを検出した場合に前記第１の受信モードに移行し、前記時差修正が解除されたことを検出した場合に前記第２受信モードに移行することを特徴とすることを特徴とする請求項９記載のアナログ電波時計。
【請求項１１】
前記時針操作手段は竜頭を含み、前記竜頭の操作によって前記時刻針の時差修正を行い、
前記制御手段は前記竜頭によって時差修正が行われたことを検出した場合に前記第１の受信モードに移行し、前記時差修正が解除されたことを検出した場合に前記第２受信モードに移行することを特徴とすることを特徴とする請求項１０記載のアナログ電波時計。
【請求項１２】
前記時針が２４時になったことを検出する検出手段を有し、
前記制御手段は、前記時針操作手段の操作によって前記時針が２４時になったことを前記検出手段が検出したとき、前記日車を回転駆動して日送り処理を行うように前記回転駆動手段を制御することを特徴とする請求項８乃至１１のいずれか一に記載のアナログ電波時計。
【請求項１３】
前記受信手段は、前記第１受信モードでは、前記タイムコードに含まれる分及び秒の情報のみを受信することを特徴とする請求項８乃至１２のいずれか一に記載のアナログ電波時計。
【請求項１４】
前記時針操作手段は、前記時針のみが回転するように前記駆動伝達部を駆動制御することを特徴とする請求項１、２、４又は５記載のアナログ電波時計。
【請求項１５】
前記受信手段は、前記タイムコードに含まれる秒及び分の情報のみを受信することを特徴とする請求項１、４、５又は１４記載のアナログ電波時計。
【請求項１６】
前記制御手段は、前記秒針及び分針を修正する場合、秒針及び分針の位置に応じて、修正が早く終わる方向に前記秒針及び分針を回転するように前記回転駆動手段を制御することを特徴とする請求項１乃至１５のいずれか一に記載のアナログ電波時計。
【発明の詳細な説明】
【技術分野】
【０００１】
本発明は、時刻を表すタイムコードを含む標準電波を無線によって受信し、前記タイムコードに基づいて時刻修正を行うアナログ電波時計に関する。
【背景技術】
【０００２】
近年、現在時刻を表すタイムコードを含む標準電波を受信し、時刻を修正する電波時計が普及している。また、全世界の標準電波局（日本国ＪＪＹ４０，日本国ＪＪＹ６０，米国ＷＷＶＢ，英国ＭＳＦ，独国ＤＣＦ７７）をすべて受信可能としたワールドタイム電波時計が人気を集めている（例えば、特許文献１参照）。
【０００３】
標準電波が送信する時刻データは、ＪＪＹ４０，ＪＹ６０、ＭＳＦ、ＤＣＦ７７においては現地のローカル時間であり又、ＷＷＶＢにおいてはＧＭＴ（世界標準時）である。
【０００４】
このため、受信する地域によっては受信するローカル時間（またはＧＭＴ）と現地時間が異なる場合があり、ワールドタイム電波時計を実現するためには、現地での時差情報をユーザが入力する必要がある（例えば、英国ＭＳＦをフランスで受信する場合は１時間の時差がある）。
【０００５】
これを実現するために、ユーザに滞在都市を選択させるようにしたアナログ電波時計が製品化されている。前記アナログ電波時計は、入力された滞在都市の情報から時差情報をテーブル参照して現地時間を算出し、表示することにより、ワールドタイム電波時計を実現している。
【０００６】
図４は、前記従来のワールドタイム電波時計の表示部を示す図で、文字盤４０１の周囲には、世界の主要な都市名が印刷表示された都市名表示部４０２が設けられると共に、中心部に設けられた秒針１０５、分針１０６、時針１０７によって時刻表示を行うように構成されている。
【０００７】
図５は、図４に示した従来のアナログ電波時計のブロック図である。
【０００８】
図５において、アナログ電波時計は、標準電波を受信するアンテナ１０１、複数の標準電波を受信可能であると共にアンテナ１０１によって受信した標準電波からタイムコードを抽出して出力する電波受信部１０２、演算部１０３、現地時刻を表示させたい都市（例えば、ユーザの滞在都市）を選択入力するための選択都市入力部２０１、演算部１０３からの制御信号によって駆動されるモータ１０４、時刻を表す指針（秒針１０５、分針１０６、時針１０７）、モータ１０４の回転を秒針１０５、分針１０６、時針１０７に伝達するための駆動伝達部１１０〜１１２を備えている。
【０００９】
演算部１０３は、世界の複数の都市に関して、各電波局から出力される標準電波が表す現在時刻と前記都市との時差を対応付けた時差テーブルを記憶している。尚、所定周波数の信号を出力する発振回路、前記発振回路の出力信号を分周して演算部１０３が計時動作を行う際に計時する時計信号を出力する分周回路は省略して描いている。
【００１０】
ユーザは、自己の滞在都市を選択入力する場合、竜頭等によって構成された選択都市入力部２０１を操作することによって秒針１０５を回転させ、選択する都市名の表示位置に秒針１０５を位置させ、これにより、都市の選択を行う。
【００１１】
電波受信部１０２は、アンテナ１０１を介して標準電波を受信すると、標準電波に含まれるタイムコードを抽出して演算部１０３に出力する。
【００１２】
演算部１０３は、電波受信部１０２から入力されたタイムコードに基づいて標準電波局及び現在時刻を判別すると共に、前記時差テーブルを参照することによって選択都市入力部２０１によって選択された都市の時差を判別し、前記タイムコードが表す時刻を前記時差で修正して、前記選択した都市の現地時刻を算出し、前記算出した現地時刻を表示するようにモータ１０４を回転制御する。
【００１３】
モータ１０４は、駆動伝達部１１０〜１１２を介して、秒針１０５、分針１０６、時針１０７を回転駆動して、現在時刻を表示する。これにより、ユーザの滞在地の現地時刻を表示することが可能になる。
【００１４】
しかしながら、前記したように時刻を時刻針によってアナログ表示するアナログ式電波時計においては、滞在都市を選択させるためには文字盤４０１あるいは外装上に都市名表示４０２を設け、少なくとも全世界の代表的な都市名を印刷表示する必要がある。狭いスペースに多くの都市名を印刷しなければならないため、文字が小さくなり非常に見辛いという問題がある。また、都市名をユーザに選択させる操作は、選択都市入力部２０１の操作によって秒針を選択都市の表示箇所に位置させなければならないため、非常に複雑で煩わしく、電波修正時計普及の妨げになっている。
【００１５】
一方、アナログ時計の一種として、秒針や分針とは切り離して、時針のみを回転させて時のみを修正可能な時差修正時計が利用されている。時差修正時計は、時差のある都市間で移動した場合に、時針のみを修正するという簡単な操作により、現地時刻への時差修正を容易に行えるという利点を有している。
【特許文献１】特開２００６−１５３６５５号公報（段落［００３０］〜［００７６］、図１〜図５）
【発明の開示】
【発明が解決しようとする課題】
【００１６】
本発明は、前記問題に鑑み成されたもので、前記時差修正時計の操作性を継承しつつ、簡単な操作で、時差修正を行うことができるようにしたアナログ電波時計を提供することを課題としている。
【００１７】
また本発明は、前記時差修正時計の操作性を継承しつつ、簡単な操作で、時差修正及び日付修正を行うことが可能なアナログ電波時計を提供することを課題としている。
【００１８】
また本発明は、前記時差修正時計の操作性を継承しつつ、簡単な操作で、時差修正を行うことを可能にすると共に、選択によって自動的に日時修正を行うことが可能なアナログ電波時計を提供することを課題としている。
【課題を解決するための手段】
【００１９】
本発明によれば、時刻を表すタイムコードを含む標準電波を受信する受信手段と、時刻をアナログ表示する秒針、分針及び時針と、少なくとも前記秒針、分針及び時針を回転駆動する回転駆動手段と、前記時針のみを回転操作する時針操作手段と、前記秒針及び分針のみを前記タイムコードに対応する時刻に修正するように前記回転駆動手段を制御する制御手段とを備えて成ることを特徴とするアナログ電波時計が提供される。
【００２０】
制御手段は、秒針及び分針のみをタイムコードに対応する時刻に修正するように回転駆動手段を制御する。
【００２１】
ここで、前記回転駆動手段は、モータ及び前記モータの回転を前記秒針、分針及び時針に伝達するための駆動伝達部を有し、前記制御手段は、前記受信手段がタイムコードを受信した際、前記秒針及び分針のみを前記タイムコードに対応する時刻に修正するように前記モータ及び駆動伝達部を制御するように構成してもよい。
【００２２】
また、更に、日付を表示する日車を有すると共に、前記回転駆動手段は前記制御手段の制御に応答して前記日車を回転駆動するように構成されて成り、前記制御手段は、前記時針操作手段が前記時針を回転操作して前記時針が２４時になったとき、前記日車の表示日付を変更するように前記回転駆動手段を制御するように構成してもよい。
【００２３】
また、日を表示する日車と、前記時針が２４時になったことを検出する検出手段とを備えると共に、前記回転駆動手段は、前記秒針、分針、時針及び日車を回転駆動し、前記制御手段は、前記時針操作手段の操作によって前記時針が２４時になったことを前記検出手段が検出したとき、前記日車を回転駆動して日送り処理を行うように前記回転駆動手段を制御するように構成してもよい。
【００２４】
また、前記回転駆動手段は、モータ手段及び前記モータ手段の回転を前記秒針、分針、時針及び日車に伝達するための駆動伝達部を有し、前記制御手段は、前記受信手段がタイムコードを受信した際、前記秒針及び分針のみを前記タイムコードに対応する時刻に修正するように前記モータ手段及び駆動伝達部を制御するように構成してもよい。
【００２５】
また、前記受信手段は、前記タイムコードに含まれる年、日、分及び秒の情報を受信し、前記制御手段は、前記受信手段が受信した年及び日の情報を記憶手段に記憶し、前記時針操作手段の操作によって前記時針が２４時になったことを前記検出手段が検出したとき、前記記憶手段に記憶した年及び日の情報を参照して、月末の場合には前記日車の日表示が１日になるように日送り処理を行うよう前記回転駆動手段を制御すると共に前記メモリに記憶した情報に日送り処理した日数を加算するように構成してもよい。
【００２６】
また、日を表示する日車を備え、前記回転手段は、前記秒針、分針、時針及び日車を回転駆動し、前記制御手段は、前記タイムコードに基づいて前記秒針及び分針の時刻を修正する第１受信モードと、前記タイムコードに基づいて前記秒針、分針、時針及び日車の日時を修正する第２受信モードのいずれかを選択する受信モード選択手段と、前記第１受信モードにおいて前記秒針及び分針のみを前記タイムコードに対応する時刻に修正するように前記回転駆動手段を制御し、前記第２受信モードにおいて前記秒針、分針、時針及び日車を前記タイムコードに対応する日時に修正するように前記回転駆動手段を制御するように構成してもよい。
【００２７】
また、前記回転駆動手段は、モータ手段及び前記モータ手段の回転を前記秒針、分針、時針及び日車に伝達するための駆動伝達手段を有し、前記時針操作手段は、前記時針のみが回転するように前記駆動伝達部を駆動操作するように構成してもよい。
【００２８】
また、前記受信モード選択手段は所定操作可能な操作手段を有して成り、前記制御手段は前記操作手段の操作に基づいて、前記第１、第２受信モードのいずれが選択されたかを判断し、前記選択された受信モードに対応する処理を行うように前記回転駆動手段を制御するように構成してもよい。
【００２９】
また、前記操作手段は前記時針操作手段によって構成されて成り、前記制御手段は前記時針操作手段によって時差修正が行われたことを検出した場合に前記第１の受信モードに移行し、前記時差修正が解除されたことを検出した場合に前記第２受信モードに移行するように構成してもよい。
【００３０】
また、前記時針操作手段は竜頭を含み、前記竜頭の操作によって前記時刻針の時差修正を行い、前記制御手段は前記竜頭によって時差修正が行われたことを検出した場合に前記第１の受信モードに移行し、前記時差修正が解除されたことを検出した場合に前記第２受信モードに移行するように構成してもよい。
【００３１】
また、前記時針が２４時になったことを検出する検出手段を有し、前記制御手段は、前記時針操作手段の操作によって前記時針が２４時になったことを前記検出手段が検出したとき、前記日車を回転駆動して日送り処理を行うように前記回転駆動手段を制御するように構成してもよい。
【００３２】
また、前記受信手段は、前記第１受信モードでは、前記タイムコードに含まれる分及び秒の情報のみを受信するように構成してもよい。
【００３３】
また、前記時針操作手段は、前記時針のみが回転するように前記駆動伝達部を駆動制御するように構成してもよい。
【００３４】
また、前記受信手段は、前記タイムコードに含まれる秒及び分の情報のみを受信するように構成してもよい。
【００３５】
また、前記制御手段は、前記秒針及び分針を修正する場合、秒針及び分針の位置に応じて、修正が早く終わる方向に前記秒針及び分針を回転するように前記回転駆動手段を制御するように構成してもよい。
【発明の効果】
【００３６】
本発明に係るアナログ電波時計によれば、時差修正時計の操作性を継承しつつ、簡単な操作で、時差修正を行うことが可能になる。
【００３７】
また、本発明に係るアナログ電波時計によれば、時差修正時計の操作性を継承しつつ、簡単な操作で、時差修正及び日付修正を行うことが可能になる。
【００３８】
また、本発明に係るアナログ電波時計によれば、時差修正時計の操作性を継承しつつ、簡単な操作で、時差修正を行うことが可能になると共に、選択によって自動的に日時修正を行うことも可能になる。
【発明を実施するための最良の形態】
【００３９】
以下、本発明の実施の形態に係るアナログ電波時計について説明する。尚、各図において、同一部分には同一符号を付している。
【００４０】
図１は、本発明の第１の実施の形態に係るアナログ電波時計のブロック図であり、腕時計型アナログ電波時計の例を示している。
【００４１】
図１において、アナログ電波時計は、標準電波を受信するアンテナ１０１、複数の周波数の標準電波を受信可能であると共にアンテナ１０１によって受信した標準電波からタイムコードを抽出して出力する電波受信部１０２、中央処理装置（ＣＰＵ）及び前記ＣＰＵが実行するプログラムを記憶したメモリによって構成される演算部１０３、演算部１０３からの制御信号によって駆動されるモータ１０４、時刻を表す指針（秒針１０５、分針１０６、時針１０７）、日車１０８を備えている。
【００４２】
また、アナログ電波時計は、モータ１０４の回転を秒針１０５、分針１０６、時針１０７、日車１０８に伝達するための駆動伝達部１１０〜１１３、時針１０７のみを回転操作することによって時差修正を行う時差修正機構１０９、時差修正機構１０９の操作を時針１０７に伝達して時針を回転する駆動伝達部１１４、時差修正機構１０９の操作によって秒針１０５及び分針１０６が回転しないように駆動伝達部１１２の動きを規制する回転防止機構１１５を備えている。
【００４３】
時差修正機構１０９は、公知の時差修正時計で使用される機構で、竜頭（図示せず）を有しており、ユーザが前記竜頭を操作することによって時針１０７のみを回転操作することができるように構成されている。
【００４４】
尚、日車１０８をモータ１０４とは別のモータによって回転駆動するように構成してもよい。
【００４５】
また、本第１の実施の形態の特徴部分には直接関係がないため、演算部１０３が通常の計時動作を行う（計時手段として機能する）ための回路構成部分は省略している。即ち、図１、図３には明示していないが、通常の電波時計と同様に、所定周波数の信号を出力する発振回路、前記発振回路の出力信号を分周して演算部１０３が計時動作を行う際に計時する時計信号を出力する分周回路を備えている。
【００４６】
尚、アンテナ１０１及び電波受信部１０２は標準電波を受信する受信手段を構成し、時差修正機構１０９は時針操作手段を校正し、モータ１０４及び駆動伝達部１１０〜１１４及び伝達防止機構１１５は回転駆動手段を構成し、演算部１０３は制御手段を構成している。受信する標準電波としては少なくとも１つあればよいが、周波数あるいはタイムコード形式が異なる複数の標準電波局からの標準電波を受信して使用する場合には、アンテナ１０１及び電波受信部１０２は複数の標準電波局からの標準電波を受信可能な受信手段を構成するようにすればよい。
【００４７】
図２は、本発明の第１の実施の形態に係るアナログ電波時計の処理を示すフローチャートであり、主として、演算部１０３の処理を示している。
【００４８】
以下、図１及び図２を用いて、本発明の第１の実施の形態に係るアナログ電波時計の動作を詳細に説明する。
【００４９】
電波受信部１０２はアンテナ１０１を介して標準電波を受信する。標準電波信号には年、月、日、時、分、秒を表すタイムコードが含まれているが、演算部１０３は、標準電波信号に含まれるタイムコード中の分及び秒に関する情報のみを受信するように電波受信部１０２を制御する（ステップＳ２０１）。このとき、タイムコード全体を受信するように構成してもよいが、タイムコード中の必要な情報のみを受信するようにしているため、受信時間を短縮することができ又、省電力化することができる。
【００５０】
次に、演算部１０３は、指針（分針１０６、秒針１０５）によって表示中の分及び秒（Ｄ（ｍ，ｓ））と、受信したタイムコード中の分及び秒（Ｒ（ｍ，ｓ））との大小関係を比較する（ステップＳ２０２、Ｓ２０３）。
【００５１】
演算部１０３は、処理ステップＳ２０３において、（Ｒ（ｍ，ｓ）−Ｄ（ｍ，ｓ））≧０と判断した場合、即ち、タイムコード中の分及び秒が表示中の分及び秒よりも進んでいると判断した場合、（Ｒ（ｍ，ｓ）−Ｄ（ｍ，ｓ））の絶対値が３０分以下か否かを判断し（ステップＳ２０４）、３０分以下の場合には正転（時計回り）方向に、（Ｒ（ｍ，ｓ）−Ｄ（ｍ，ｓ））の絶対値分だけ分針１０６及び秒針１０５が回転するようにモータ１０４を回転制御して、分及び秒の時刻修正を行う（ステップＳ２０５）。
【００５２】
演算部１０３は、処理ステップＳ２０４において、（Ｒ（ｍ，ｓ）−Ｄ（ｍ，ｓ））の絶対値が３０分以下ではないと判断した場合には逆転（反時計回り）方向に、（６０分−（Ｒ（ｍ，ｓ）−Ｄ（ｍ，ｓ））の絶対値分）だけ分針１０６及び秒針１０５を回転するようにモータ１０４を回転制御して、分及び秒の時刻修正を行う（ステップＳ２０６）。
【００５３】
一方、演算部１０３は、処理ステップＳ２０３において、（Ｒ（ｍ，ｓ）−Ｄ（ｍ，ｓ））≧０ではないと判断した場合、即ち、表示中の分及び秒がタイムコード中の分及び秒よりも進んでいると判断した場合、（Ｒ（ｍ，ｓ）−Ｄ（ｍ，ｓ））の絶対値が３０分以下か否かを判断し（ステップＳ２０７）、３０分以下の場合には逆転（反時計回り）方向に、（Ｒ（ｍ，ｓ）−Ｄ（ｍ，ｓ））の絶対値分だけ分針１０６及び秒針１０５を回転するようにモータ１０４を回転制御して、分及び秒の時刻修正を行う（ステップＳ２０８）。
【００５４】
演算部１０３は、処理ステップＳ２０７において、（Ｒ（ｍ，ｓ）−Ｄ（ｍ，ｓ））の絶対値が３０分以下ではないと判断した場合には正転（時計回り）方向に、（６０分−（Ｒ（ｍ，ｓ）−Ｄ（ｍ，ｓ））の絶対値分）だけ分針１０６及び秒針１０５を回転するようにモータ１０４を回転制御して、分及び秒の時刻修正を行う（ステップＳ２０９）。
【００５５】
演算部１０３は、前記処理ステップＳ２０２〜Ｓ２０９のように、取得したタイムコードの分、秒情報に修正する際に、移動量が±３０分以内となるように修正する。即ち、演算部１０３は、秒針１０５及び分針１０６を時刻修正する場合、秒針１０５及び分針１０６の位置に応じて、修正が早く終わる方向に秒針１０５及び分針１０６を回転するようにモータ１０４を制御しているため、秒針１０５及び分針の時刻修正を短時間で行うことが可能になる。
【００５６】
時差修正機構１０９の操作によって時針１０７を修正する場合、時差修正機構１０９に含まれる竜頭を段引きして回転操作するなどの所定操作を行うと、前記操作は時差修正用伝達部１１４を介して時針に伝達され時針１０７の時差修正が行われる。このとき、時差修正機構１０９の操作は、伝達防止機構１１５によって駆動伝達部１１２へは伝達されないので、秒針１０５及び分針１０６は回転しないため、時針１０７のみの修正が行われる。
【００５７】
また、演算部１０３は、時差修正機構１０９の操作によって時針１０７が２４時になったとき、日車１０８の表示日付が翌日になるようにモータ１０４を回転制御する。前記モータ１０４は、伝達部１１３を介して日車１０８を回転駆動し、日付表示を変更する。
【００５８】
以上述べたように本実施の形態に係るアナログ電波時計によれば、秒針１０５及び分針１０６は標準電波に基づいて修正し、時針１０７、日車１０８はユーザが設定するように構成することで、操作が非常に簡便となり、時差修正時計の操作性を継承しつつ、全世界の標準電波局を受信可能としたアナログ電波時計の提供が可能となる。
【００５９】
尚、受信可能な標準電波局は全世界のものでなくても、一部の地域の標準電波局のものを受信して時刻修正できればよい。
【００６０】
また、本発明の第２の実施の形態として図３に示すように、日車１０８を省略した構成とすることができる。本第２の実施の形態の動作は、日車１０８に関する動作以外は前記第１の実施の形態と同じであり、受信処理に関しても図２記載の受信処理を行う。
【００６１】
図６は、本発明の第３の実施の形態に係るアナログ電波時計のブロック図で、後述する実施の形態に共通するブロック図であり、腕時計型アナログ電波時計の例を示している。
【００６２】
図６において、アナログ電波時計は、標準電波を受信するアンテナ１０１、複数の周波数の標準電波を受信可能であると共にアンテナ１０１によって受信した標準電波からタイムコードを抽出して出力する電波受信部１０２、中央処理装置（ＣＰＵ）及び前記ＣＰＵが実行するプログラムを記憶したメモリ１１９によって構成される演算部１０３、演算部１０３からの制御信号によって駆動される指針駆動用の第１モータ１０４及び日車駆動用の第２モータ２０１、時刻を表す指針（秒針１０５、分針１０６、時針１０７）、日車１０８を備えている。尚、後述する第４の実施の形態においては、メモリ１１９に、受信したタイムコード中の年及び日の情報を記憶できるように構成されている。
【００６３】
また、アナログ電波時計は、第１モータ１０４の回転を秒針１０５、分針１０６、例えば輪列によって構成され時針１０７に伝達するための駆動伝達部１１０〜１１２、第２モータ２０１の回転を日車１０８に伝達するための駆動伝達部１１８、時針１０７のみを回転操作することによって時差修正を行う時差修正機構１０９、時差修正機構１０９の操作を時針１０７に伝達して時針１０７を回転する駆動伝達部１１４、時差修正機構１０９の操作によって秒針１０５及び分針１０６が回転しないように駆動伝達部１１４の動きを規制する回転防止機構１１５、時差修正機構１０９の操作によって時針１０７が２４時になったことを検出する２４時検出スイッチ１２１、時差修正機構１０９の操作によって時針１０７が２４時になったことを２４時検出スイッチ１２１に伝達する（例えば２４時検出スイッチ１２１をオンにする）駆動伝達部１１７を備えている。
【００６４】
時差修正機構１０９は、公知の時差修正時計で使用される機構で、竜頭（図示せず）を有しており、ユーザが前記竜頭を操作することによって時針１０７のみを回転操作することができるように構成されている。
【００６５】
尚、必ずしも指針駆動用の第１モータ１０４と日車１０８駆動用の第２モータ２０１の複数のモータを設ける必要はなく、少なくとも１つのモータ１０４を設け、モータ１０４によって日車１０８を回転駆動するように構成してもよい。
【００６６】
また、本第３の実施の形態の特徴部分には直接関係がないため、演算部１０３が通常の計時動作を行う（計時手段として機能する）ための回路構成部分は省略している。即ち、図１には明示していないが、通常の電波時計と同様に、所定周波数の信号を出力する発振回路、前記発振回路の出力信号を分周して演算部１０３が計時動作を行う際に計時する時計信号を出力する分周回路を備えている。
【００６７】
尚、アンテナ１０１及び電波受信部１０２は標準電波を受信する受信手段を構成し、時差修正機構１０９は時針操作手段を構成し、第１モータ１０４、第２モータ２０１、駆動伝達部１１０２〜１１２、１１４、１１７、１１８及び伝達防止機構１１５は回転駆動手段を構成し、２４時検出スイッチ１２１は検出手段を構成し、演算部１０３は制御手段を構成し、メモリ１１９は記憶手段を構成している。また、第１モータ１０４及び第２モータ２０１はモータ手段を構成している。受信する標準電波としては少なくとも１つあればよいが、周波数あるいはタイムコード形式が異なる複数の標準電波局からの標準電波を受信して使用する場合には、アンテナ１０１及び電波受信部１０２は複数の標準電波局からの標準電波を受信可能な受信手段を構成するようにすればよい。
【００６８】
本発明の第３の実施の形態に係るアナログ電波時計は、図２のフローチャートと同一の受信処理を行う。
【００６９】
以下、図６及び図２を用いて、本発明の第３の実施の形態に係るアナログ電波時計の動作を詳細に説明する。
【００７０】
図６及び図２において、標準電波信号に含まれるタイムコード中の分及び秒の情報のみを受信して、分及び秒の修正を行う場合の処理を説明する。
【００７１】
電波受信部１０２はアンテナ１０１を介して標準電波を受信する。標準電波信号には年、日、時、分、秒を表すタイムコードが含まれているが、演算部１０３は、電波受信部１０２から入力されてくるタイムコード中の情報に基づいて、標準電波信号に含まれるタイムコード中の分及び秒に関する情報のみを受信するように電波受信部１０２を制御する（ステップＳ２０１）。このとき、タイムコード全体を受信するように構成してもよいが、タイムコード中の必要な情報のみを受信するようにしているため、受信時間を短縮することができ又、省電力化することができる。
【００７２】
次に、演算部１０３は、指針（分針１０６、秒針１０５）によって表示中の分及び秒（Ｄ（ｍ，ｓ））と、受信したタイムコード中の分及び秒（Ｒ（ｍ，ｓ））との大小関係を比較する（ステップＳ２０２、Ｓ２０３）。
【００７３】
演算部１０３は、処理ステップＳ２０３において、（Ｒ（ｍ，ｓ）−Ｄ（ｍ，ｓ））≧０と判断した場合、即ち、タイムコード中の分及び秒が表示中の分及び秒よりも進んでいると判断した場合、（Ｒ（ｍ，ｓ）−Ｄ（ｍ，ｓ））の絶対値が３０分以下か否かを判断し（ステップＳ２０４）、３０分以下の場合には正転（時計回り）方向に、（Ｒ（ｍ，ｓ）−Ｄ（ｍ，ｓ））の絶対値分だけ分針１０６及び秒針１０５が回転するように第１モータ１０４を回転制御して、分及び秒の時刻修正を行う（ステップＳ２０５）。
【００７４】
演算部１０３は、処理ステップＳ２０４において、（Ｒ（ｍ，ｓ）−Ｄ（ｍ，ｓ））の絶対値が３０分以下ではないと判断した場合には逆転（反時計回り）方向に、（６０分−（Ｒ（ｍ，ｓ）−Ｄ（ｍ，ｓ））の絶対値分）だけ分針１０６及び秒針１０５を回転するように第１モータ１０４を回転制御して、分及び秒の時刻修正を行う（ステップＳ２０６）。
【００７５】
一方、演算部１０３は、処理ステップＳ２０３において、（Ｒ（ｍ，ｓ）−Ｄ（ｍ，ｓ））≧０ではないと判断した場合、即ち、表示中の分及び秒がタイムコード中の分及び秒よりも進んでいると判断した場合、（Ｒ（ｍ，ｓ）−Ｄ（ｍ，ｓ））の絶対値が３０分以下か否かを判断し（ステップＳ２０７）、３０分以下の場合には逆転（反時計回り）方向に、（Ｒ（ｍ，ｓ）−Ｄ（ｍ，ｓ））の絶対値分だけ分針１０６及び秒針１０５を回転するように第１モータ１０４を回転制御して、分及び秒の時刻修正を行う（ステップＳ２０８）。
【００７６】
演算部１０３は、処理ステップＳ２０７において、（Ｒ（ｍ，ｓ）−Ｄ（ｍ，ｓ））の絶対値が３０分以下ではないと判断した場合には正転（時計回り）方向に、（６０分−（Ｒ（ｍ，ｓ）−Ｄ（ｍ，ｓ））の絶対値分）だけ分針１０６及び秒針１０５を回転するように第１モータ１０４を回転制御して、分及び秒の時刻修正を行う（ステップＳ２０９）。
【００７７】
演算部１０３は、前記処理ステップＳ２０２〜Ｓ２０９のように、取得したタイムコードの分、秒情報に修正する際に、移動量が±３０分以内となるように修正する。即ち、演算部１０３は、秒針１０５及び分針１０６を時刻修正する場合、秒針１０５及び分針１０６の位置に応じて、修正が早く終わる方向に秒針１０５及び分針１０６を回転するように第１モータ１０４を制御しているため、秒針１０５及び分針１０６の時刻修正を短時間で行うことが可能になる。
【００７８】
時差修正機構１０９の操作によって時針１０７を修正する場合、時差修正機構１０９に含まれる竜頭を段引きして回転操作するなどの所定操作を行うと、前記操作は時差修正用伝達部１１５を介して時針１０７に伝達され時針１０７の時差修正が行われる。このとき、時差修正機構１０９の操作は、伝達防止機構１１５によって駆動伝達部１１２へは伝達されないので、秒針１０５及び分針１０６は回転しないため、時針１０７のみの修正が行われる。
【００７９】
また、時差修正機構１０９の操作によって時針１０７が２４時になったことが駆動伝達部１１７を介して２４時検出スイッチ１２１に伝達されると、２４時検出スイッチ１２１は時針１０７が２４時になったことを検出する。演算部１０３は、時針１０７が２４になったことを２４時検出スイッチ１２１が検出すると、日車１０８の表示日付を日送り処理するように第２モータ２０１を回転制御する。第２モータ２０１は、駆動伝達部１１８を介して日車１０８を回転駆動し、日付表示を翌日に変更する。
【００８０】
このようにして、本第３の実施の形態によれば、秒針１０５及び分針１０６を標準電波に基づいて修正し、時針１０７、日車１０８はユーザが設定するように構成することで、操作が非常に簡便となり、時差修正時計の操作性を継承しつつ、全世界の標準電波局を受信可能としたアナログ電波時計の提供が可能となる。
【００８１】
図７及び図８は、本発明の第４の実施の形態に係るアナログ電波時計の処理を示すフローチャートであり、主として、演算部１０３の処理を示している。
【００８２】
図７には、標準電波信号に含まれるタイムコード中の年、日、分及び秒の情報のみを受信して、分及び秒の修正を行うと共に、日付修正のために年及び日の情報をメモリ１１９に記憶するようにした場合の処理を示しており、図２と同一処理を行う部分には同一符号を付している。
【００８３】
また、図８には、時針１０７が２４時になったことを２４時検出スイッチ１２１が検出した場合、メモリ１１９に記憶した年及び日の情報に基づいて、当日が月末か否かに応じて、日車１０８の日送り処理を適切に行う例を示している。
【００８４】
先ず、図６及び図７を用いて、標準電波信号に含まれるタイムコード中の年、日、分及び秒の情報のみを受信して、分及び秒の修正を行うと共に、日付修正のために年及び日の情報を演算部１０３のメモリ１１９に記憶する場合の処理を説明する。
【００８５】
電波受信部１０２はアンテナ１０１を介して標準電波を受信する。標準電波信号には年、日、時、分、秒を表すタイムコードが含まれているが、演算部１０３は、電波受信部１０２から入力されてくるタイムコード中の情報に基づいて、標準電波信号に含まれるタイムコード中の年、日、分及び秒に関する情報のみを受信するように電波受信部１０２を制御する（ステップＳ７０１）。このとき、タイムコード全体を受信するように構成してもよいが、タイムコード中の必要な情報のみを受信するようにしているため、受信時間を短縮することができ又、省電力化することができる。
【００８６】
次に、演算部１０３は、その内部のメモリ１１９に、タイムコード中の年及び日の情報を記憶する（ステップＳ７０２）。
【００８７】
以下、図２と同様に、演算部１０３は、指針（分針１０６、秒針１０５）によって表示中の分及び秒（Ｄ（ｍ，ｓ））と、受信したタイムコード中の分及び秒（Ｒ（ｍ，ｓ））との大小関係を比較し、修正が早く終わる方向に秒針１０５及び分針１０６を回転するようにモータ１０４を制御する（ステップＳ２０２〜２０９）。
【００８８】
次に、図６及び図８を用いて、時針１０７が２４時になったことを２４時検出スイッチ１２１が検出した場合に、日車１０８の日送り処理を行う際の動作を説明する。
【００８９】
演算部１０３は、時針１０７が２４時になったことを２４時検出スイッチ１２１が検出したと判断すると（ステップＳ８０１）、メモリ１１９に記憶した年及び日の情報を参照して（ステップＳ８０２）、今日が月末か否かを判断する（ステップＳ８０３）。
【００９０】
演算部１０３は、処理ステップＳ８０３において、今日が月末ではないと判断すると、日車１０８の日表示を１日増やすように第２モータ２０１を制御し（ステップＳ８０４）、メモリ１１９に記憶している年及び日の情報に１日加算する（ステップＳ８０５）。第２モータ２０１は演算部１０３の制御に応答して、駆動伝達部１１８を介して日車１０８を１日分回転駆動し、日表示を翌日に変更する。
【００９１】
一方、演算部１０３は、処理ステップＳ８０３において、今日が月末と判断すると、日車１０８の日表示が翌月の１日になるように、月に応じて日表示を所定日数α日増やすよう第２モータ２０１を制御し（ステップＳ８０６）、メモリ１１９に記憶している年及び日の情報に前記所定日数α日加算する（ステップＳ８０７）。第２モータ２０１は演算部１０３の制御に応答して、駆動伝達部１１８を介して日車１０８を前記所定日数α日分だけ回転駆動し、日表示を翌月の１日に変更する。
【００９２】
以上述べたように本第４の実施の形態に係るアナログ電波時計によれば、前記第３の実施の形態と同様に、秒針１０５及び分針１０６は標準電波に基づいて修正し、時針１０７、日車１０８はユーザが設定するように構成することで、操作が非常に簡便となり、時差修正時計の操作性を継承しつつ、全世界の標準電波局を受信可能としたアナログ電波時計の提供が可能となる。また、時差修正を行う際に日付が変わる場合、月末か否かに応じて適切な日送り処理を行うことが可能になる。
【００９３】
尚、受信可能な標準電波局は全世界のものでなくても、一部の地域の標準電波局のものを受信して時刻修正できればよい。
【００９４】
図９は、本発明の第５の実施の形態に係るアナログ電波時計のブロック図であり、腕時計型アナログ電波時計の例を示している。
【００９５】
図９において、アナログ電波時計は、標準電波を受信するアンテナ１０１、複数の周波数の標準電波を受信可能であると共にアンテナ１０１によって受信した標準電波からタイムコードを抽出して出力する電波受信部１０２、中央処理装置（ＣＰＵ）及び前記ＣＰＵが実行するプログラムを記憶したメモリ（図示せず）によって構成される演算部１０３、演算部１０３からの制御信号によって駆動される指針駆動用の第１モータ１０４及び日車駆動用の第２モータ２０１、時刻を表す指針（秒針１０５、分針１０６、時針１０７）、日車１０８を備えている。
【００９６】
また、アナログ電波時計は、第１モータ１０４の回転を秒針１０５、分針１０６、時針１０７に伝達するための駆動伝達部１１０〜１１２、第２モータ２０１の回転を日車１０８に伝達するための駆動伝達部１１８、時針１０７のみを回転操作することによって時差修正を行う時差修正機構１０９、時差修正機構１０９の操作を時針１０７に伝達して時針１０７を回転する駆動伝達部１１４、時差修正機構１０９の操作によって秒針１０５及び分針１０６が回転しないように駆動伝達部１１２の動きを規制する回転防止機構１１５、時差修正機構１０９の操作によって時針１０７が２４時になったことを検出する２４時検出スイッチ１２１、時差修正機構１０９の操作によって時針１０７が２４時になったことを２４時検出スイッチ１２１に伝達する（例えば２４時検出スイッチ１２１をオンにする）駆動伝達部１１７、時差修正機構１０９の操作（例えば時差修正機構１０９に含まれる竜頭１２０の所定操作）によって時針１０７の時差修正が行われたか等を検出する時差修正検出スイッチ１１９を備えている。各駆動伝達部１１０〜１１２、１１４、１１７、１１８は輪列によって構成できる。
【００９７】
時差修正機構１０９は、公知の時差修正時計で使用される機構で、ユーザが操作可能な竜頭１２０を有しており、ユーザが竜頭１２０を操作することによって時針１０７のみを回転操作することができるように構成されている。
【００９８】
尚、必ずしも指針駆動用の第１モータ１０４と日車１０８駆動用の第２モータ２０１の複数のモータを設ける必要はなく、少なくとも１つのモータ１０４を設け、該モータ１０４によって指針１０５〜１０７及び日車１０８を回転駆動するように構成してもよい。
【００９９】
また、本第５の実施の形態の特徴部分には直接関係がないため、演算部１０３が通常の計時動作を行う（計時手段として機能する）ための回路構成部分は省略している。即ち、図９には明示していないが、通常の電波時計と同様に、所定周波数の信号を出力する発振回路、前記発振回路の出力信号を分周して演算部１０３が計時動作を行う際に計時する時計信号を出力する分周回路を備えている。
【０１００】
ここで、アンテナ１０１及び電波受信部１０２は標準電波を受信する受信手段を構成し、時差修正機構１０９は時針操作手段及び操作手段を構成している。第１モータ１０４、第２モータ２０１、駆動伝達部１１０〜１１２、１１４、１１７、１１８及び伝達防止機構１１５は回転駆動手段を構成し、２４時検出スイッチ１２１は検出手段を構成し、演算部１０３は制御手段を構成している。第１モータ１０４及び第２モータ２０１はモータ手段を構成している。
【０１０１】
また、時差修正機構１０９、時差修正検出スイッチ１１９及び演算部１０３は受信モード選択手段を構成している。尚、受信モード選択手段は、受信感度が所定レベル以上の受信環境や現在時刻が所定時刻等の所定の条件が満たされたときに自動的に第１受信モードあるいは第２受信モードに移行するように構成してもよい。
【０１０２】
受信可能な標準電波としては少なくとも１つあればよいが、周波数あるいはタイムコード形式が異なる複数の標準電波局からの標準電波を受信して使用する場合には、アンテナ１０１及び電波受信部１０２は複数の標準電波局からの標準電波を受信可能な受信手段を構成するようにすればよい。
【０１０３】
図１０は、本発明の第５の実施の形態に係るアナログ電波時計の処理を示すフローチャートであり、主として、演算部１０３の処理を示している。図１０には、受信モードを選択するための処理が示されている。
【０１０４】
図９及び図１０を用いて、受信モードの選択処理について説明すると、演算部１０３は、時差修正機構１０９が操作されたか否か、具体的には、時差修正機構１０９に含まれる竜頭１２０が操作されたか否かを判断する（ステップＳ１００１）。
【０１０５】
演算部１０３は、処理ステップＳ１００１において、竜頭１２０が１段引き操作されたと判断したきは、電波受信部１０２によって受信する標準電波のタイムコードに基づいて秒針１０５及び分針１０６のみの時刻を修正する第１受信モードに移行し（Ｓ１００２）、竜頭１２０が２段引き操作されたと判断したきは、前記タイムコードに基づいて秒針１０５、分針１０６、時針１０７及び日車１０８の日時を修正する第２受信モードに移行し（Ｓ１００３）、竜頭が前記操作されないときには前記受信モードへは移行しない。
【０１０６】
尚、本第５の実施の形態では、竜頭１２０が１段引きされた場合に時針１０７の時差修正が行えるように構成されているため、時差修正検出スイッチ１１９は竜頭１２０が１段引きされたことを（換言すれば時差修正が行われたと）検出して、演算部１０３に時差修正が行われた旨の通知を行う。演算部１０３は、時差修正検出スイッチ１１９からの前記通知を受けて時差修正操作が行われたと判断する。
【０１０７】
一方、竜頭１２０が２段引きされた場合に時針１０７の時差修正を解除して、時差修正が行えないように構成しているため、時差修正検出スイッチ１１９は竜頭１２０が２段引きされたことを（換言すれば時差修正が解除されたと）検出して、演算部１０３に時差修正解除を通知する。演算部１０３は、時差修正検出スイッチ１１９からの前記通知を受けて時差修正解除操作が行われたと判断する。
【０１０８】
図１１は、前記第２受信モードにおける演算部１０３の処理を示しており、標準電波信号に含まれるタイムコードの全情報（具体的には年、日、時、分、秒）を受信して、日時の修正を行う場合の処理であり、一般の電波時計が通常行う時刻修正処理と同様の処理である。
【０１０９】
以下、図９及び図１１を用いて、本発明の第５の実施の形態に係るアナログ電波時計の第２受信モードの動作を概略説明する。
【０１１０】
尚、本第５の実施の形態に係るアナログ電波時計の第１受信モードにおける処理は図２と同じであるため、その説明は省略する。
【０１１１】
電波受信部１０２はアンテナ１０１を介して標準電波を受信する。このとき、演算部１０３は、第２受信モードであることを判別して、標準電波のタイムコード含まれる全情報（具体的には年、日、時、分、秒）を受信するように電波受信部１０２を制御する（ステップＳ１１０１）。
【０１１２】
次に、演算部１０３は、受信したタイムコードの日時情報（年、日、時、分、秒）に基づいて、指針（秒針１０５、分針１０６、時針１０７）の表示時刻及び日車１０８の表示日を修正するように第１、第２モータ１０４、２０１を制御する（ステップＳ１１０２）。第１、第２モータ１０４、２０１は、各々、指針１０５〜１０７及び日車１０８を前記受信したタイムコードに一致するように修正して日時修正を完了する。
【０１１３】
以上述べたように本第５の実施の形態に係るアナログ電波時計によれば、秒針１０５及び分針１０６を自動で時刻修正すると共に時針１０７は手動によって時差修正を行う第１受信モードと、指針１０５〜１０７及び日車１０８自動で修正する第２受信モードとを選択できるように構成している。
【０１１４】
したがって、第１受信モードでは、秒針１０５及び分針１０６は標準電波に基づいて修正し、時針１０７、日車１０８はユーザが設定するように構成することで、操作が非常に簡便となり、時差修正時計の操作性を継承しつつ、全世界の標準電波局を受信可能としたアナログ電波時計の提供が可能となる。
【０１１５】
また、第２受信モードでは、何らの操作を行うことなく、自動で時刻修正を行うことが可能になる。
【０１１６】
よって、時差修正時計の操作性を継承しつつ、簡単な操作で、時差修正を行うことが可能になると共に、選択によって自動的に日時修正を行うことも可能になるという効果を奏する。
【０１１７】
尚、受信可能な標準電波局は全世界のものでなくても、一部の地域の標準電波局のものを受信して時刻修正できればよい。
【産業上の利用可能性】
【０１１８】
一又は複数の標準電波局が送信する標準電波を受信可能なアナログ電波時計に利用可能である。
【図面の簡単な説明】
【０１１９】
【図１】本発明の第１の実施の形態に係るアナログ電波時計のブロック図である。
【図２】本発明の各実施の形態に係るアナログ電波時計の処理を示すフローチャートである。
【図３】本発明の第２の実施の形態に係るアナログ電波時計のブロック図である。
【図４】従来のアナログ電波時計の外観図である。
【図５】従来のアナログ電波時計のブロック図である。
【図６】本発明の第３の実施の形態に係るアナログ電波時計のブロック図である。
【図７】本発明の第４の実施の形態に係るアナログ電波時計の処理を示すフローチャートである。
【図８】本発明の第４の実施の形態に係るアナログ電波時計の処理を示すフローチャートである。
【図９】本発明の第５の実施の形態に係るアナログ電波時計のブロック図である。
【図１０】本発明の第５の実施の形態に係るアナログ電波時計の処理を示すフローチャートである。
【図１１】本発明の第５の実施の形態に係るアナログ電波時計の処理を示すフローチャートである。
【符号の説明】
【０１２０】
１０１・・・アンテナ
１０２・・・電波受信部
１０３・・・演算部
１０４、２０１・・・モータ
１０５・・・秒針
１０６・・・分針
１０７・・・時針
１０８・・・日車
１０９・・・時差修正機構
１１０〜１１４、１１７、１１８・・・駆動伝達部
１１１・・・２４時検出スイッチ
１１５・・・回転駆動手段を構成する伝達防止機構
１１９・・・メモリ
１２０・・・竜頭
【図１】
2008224658.tif 000003
【図２】
2008224658.tif 000004
【図３】
2008224658.tif 000005
【図４】
2008224658.tif 000006
【図５】
2008224658.tif 000007
【図６】
2008224658.tif 000008
【図７】
2008224658.tif 000009
【図８】
2008224658.tif 000010
【図９】
2008224658.tif 000011
【図１０】
2008224658.tif 000012
【図１１】
2008224658.tif 000013